(57)【要約】【解決手段】容器本体１の展開状態Ｐでは、底板２と上枠３との間の周壁４において左右両折畳み側板８，９と前後両支持側板６とを周方向へ交互に並設している。左右両折畳み側板８，９において前後両支持腕１４の上下両区画腕部１６，１７は関節部１８により互いに回動可能に支持され、前後両支持腕１４間には布や網などの柔軟体である仕切壁１５が設けられている。上側区画腕部１６は上枠３に回動可能に支持され、下側区画腕部１７は底板２に回動可能に支持されている。前後両支持側板６は上枠３に回動可能に支持されている。容器本体１の折畳み状態では、左右両折畳み側板８，９の上下両区画腕部１６，１７が関節部１８で折り曲げられて底板２上に重ねられるとともに、前後両支持側板６及び上枠３が左右両折畳み側板８，９上に重ねられる。【効果】携帯用折畳み容器を例えば買物容器として利用する場合、運搬時や保管時に嵩張ることがなく利便性が良い。【選択図】図１
2008183095.tif 000002
【特許請求の範囲】
【請求項１】
底板の外周に周壁を設けた容器本体において展開状態では、その周壁として複数の側板を周方向へ並設してその並設状態を固定部材により保持し、この各側板のうち一部または全部の側板を構成する折畳み側板において、周方向の両側には上下方向へ並設した複数の区画腕部を有する支持腕を設けるとともにこの両支持腕間に仕切壁を設け、この両支持腕の各区画腕部のうち、上下方向で互いに隣接する上下両区画腕部間を関節部で互いに回動可能に支持するとともに、この両支持腕の関節部間で仕切壁には折曲可能な柔軟体を設け、最上区画腕部を固定部材に対し回動可能にし、最下区画腕部を底板に対し回動可能にし、
前記容器本体において折畳み状態では、周壁の各折畳み側板における両支持腕の各区画腕部のうち、互いに隣接する上下両区画腕部を仕切壁の柔軟体とともに関節部で回動させて折り曲げ、最下区画腕部を底板に対し回動させて折り曲げ、最上区画腕部を固定部材に対し回動させて折り曲げて、底板上で各折畳み側板の両支持腕の各区画腕部を仕切壁とともに互いに上下方向へ重ねた
ことを特徴とする携帯用折畳み容器。
【請求項２】
底板と固定部材との間でそれらの外周に周壁を設けた容器本体において展開状態では、その周壁として複数の折畳み側板と複数の支持側板とを周方向へ交互に並設してその並設状態を固定部材により保持し、この各折畳み側板において、周方向の両側には上下方向へ並設した複数の区画腕部を有する支持腕を設けるとともにこの両支持腕間に仕切壁を設け、この両支持腕の各区画腕部のうち、上下方向で互いに隣接する上下両区画腕部間を関節部で互いに回動可能に支持するとともに、この両支持腕の関節部間で仕切壁には折曲可能な柔軟体を設け、固定部材に対し上下方向で隣接する最上区画腕部をその固定部材に対し回動可能に支持し、底板に対し上下方向で互いに隣接する最下区画腕部をその底板に対し回動可能に支持し、前記各支持側板を固定部材に対し回動可能に支持するとともに底板に支持し、
前記容器本体において折畳み状態では、周壁の各支持側板を固定部材に対し回動させて固定部材の内側に折り畳んだ状態で、周壁の各折畳み側板における両支持腕の各区画腕部のうち、互いに隣接する上下両区画腕部を仕切壁の柔軟体とともに関節部で回動させて折り曲げ、最下区画腕部を底板に対し回動させて折り曲げ、最上区画腕部を固定部材に対し回動させて折り曲げて、底板上で各折畳み側板の両支持腕の各区画腕部を仕切壁とともに互いに上下方向へ重ねるとともに、この各折畳み側板上で固定部材及び各支持側板を上下方向へ重ねた
ことを特徴とする携帯用折畳み容器。
【請求項３】
前記固定部材は環状の上枠であることを特徴とする請求項２に記載の携帯用折畳み容器。
【請求項４】
前記固定部材には展開状態で固定部材と底板とが上下方向で並ぶように容器本体を支え持つことができるホルダーを取り付けたことを特徴とする請求項２または請求項３に記載の携帯用折畳み容器。
【請求項５】
前記固定部材と底板との間には折畳み状態を保持することができる止め部材を取り付けたことを特徴とする請求項２から請求項４のうちいずれかの請求項に記載の携帯用折畳み容器。
【請求項６】
前記固定部材または底板には折畳み状態で固定部材と底板とが上下方向に対し直交する横方向で並ぶように容器本体を支え持つことができるホルダーを取り付けたことを特徴とする請求項２から請求項５のうちいずれかの請求項に記載の携帯用折畳み容器。
【発明の詳細な説明】
【技術分野】
【０００１】
本発明は買物容器などに利用することができる携帯用折畳み容器に関するものである。
【背景技術】
【０００２】
スーパーなどでは、一般に、レジ用かごやレジ用カートに商品を入れてレジで精算した後、レジで貰った樹脂袋にレジ用かごやレジ用カートから商品を移していた。最近、樹脂袋の多用が環境に及ぼす悪影響を考慮して樹脂袋の有料化が進められている。そのような樹脂袋に代えて買物容器を持参する客も多い。
【発明の開示】
【発明が解決しようとする課題】
【０００３】
客が持参する買物容器としては布袋が多い。しかし、収容量の少ない布袋の場合、商品の量が多いと複数の布袋を用意しなければならない。また、柔軟な布袋の場合、樹脂袋と同様に、収容された商品が安定せず傾いたり型くずれしたりして商品価値が下がるおそれがあった。そこで、収容量が多くある程度の剛性を有するレジ用かごと同種の買物かごを持参することも可能であるが、買い物の往復時に買物かごが嵩張る問題があった。
【０００４】
この発明は、例えば買物容器として利用する場合、運搬時や保管時に嵩張ることがなく利便性の良い携帯用折畳み容器を提供することを目的としている。
【課題を解決するための手段】
【０００５】
後記実施形態の図面（図１〜８）の符号を援用して本発明を説明する。
請求項１の発明にかかる携帯用折畳み容器は、下記のように構成されている。
底板２の外周に周壁４を設けた容器本体１において展開状態Ｐでは、その周壁４として複数の側板６，７，８，９を周方向へ並設してその並設状態を固定部材３により保持している。この各側板６，７，８，９のうち一部または全部の側板を構成する折畳み側板８，９において、周方向の両側には上下方向Ｚへ並設した複数の区画腕部１６，１７を有する支持腕１４を設けるとともにこの両支持腕１４間に仕切壁１５を設けている。この両支持腕１４の各区画腕部１６，１７のうち、上下方向Ｚで互いに隣接する上下両区画腕部１６，１７間を関節部１８で互いに回動可能に支持するとともに、この両支持腕１４の関節部１８間で仕切壁１５には折曲可能な柔軟体１５を設け、最上区画腕部１６を固定部材３に対し回動可能にし、最下区画腕部１７を底板２に対し回動可能にしている。前記容器本体１において折畳み状態Ｑでは、周壁４の各折畳み側板８，９における両支持腕１４の各区画腕部１６，１７のうち、互いに隣接する上下両区画腕部１６，１７を仕切壁１５の柔軟体とともに関節部１８で回動させて折り曲げ、最下区画腕部１７を底板２に対し回動させて折り曲げ、最上区画腕部１６を固定部材３に対し回動させて折り曲げて、底板２上で各折畳み側板８，９の両支持腕１４の各区画腕部１６，１７を仕切壁１５とともに互いに上下方向Ｚへ重ねている。
【０００６】
請求項２の発明にかかる携帯用折畳み容器は、下記のように構成されている。
底板２と固定部材３との間でそれらの外周に周壁４を設けた容器本体１において展開状態Ｐでは、その周壁４として複数の折畳み側板８，９と複数の支持側板６，７とを周方向へ交互に並設してその並設状態を固定部材３により保持している。この各折畳み側板８，９において、周方向の両側には上下方向Ｚへ並設した複数の区画腕部１６，１７を有する支持腕１４を設けるとともにこの両支持腕１４間に仕切壁１５を設けている。この両支持腕１４の各区画腕部１６，１７のうち、上下方向Ｚで互いに隣接する上下両区画腕部１６，１７間を関節部１８で互いに回動可能に支持するとともに、この両支持腕１４の関節部１８間で仕切壁１５には折曲可能な柔軟体１５を設け、固定部材３に対し上下方向Ｚで隣接する最上区画腕部１６をその固定部材３に対し回動可能に支持し、底板２に対し上下方向Ｚで互いに隣接する最下区画腕部１７をその底板２に対し回動可能に支持している。前記各支持側板６，７を固定部材３に対し回動可能に支持するとともに底板２に支持している。前記容器本体１において折畳み状態Ｑでは、周壁４の各支持側板６，７を固定部材３に対し回動させて固定部材３の内側に折り畳んだ状態で、周壁４の各折畳み側板８，９における両支持腕１４の各区画腕部１６，１７のうち、互いに隣接する上下両区画腕部１６，１７を仕切壁１５の柔軟体１５とともに関節部１８で回動させて折り曲げ、最下区画腕部１７を底板２に対し回動させて折り曲げ、最上区画腕部１６を固定部材３に対し回動させて折り曲げて、底板２上で各折畳み側板８，９の両支持腕１４の各区画腕部１６，１７を仕切壁１５とともに互いに上下方向Ｚへ重ねるとともに、この各折畳み側板８，９上で固定部材３及び各支持側板６，７を上下方向Ｚへ重ねている。
【０００７】
請求項２の発明を前提とする請求項３の発明において、前記固定部材は環状の上枠３である。
請求項１〜３の発明では、展開状態Ｐの容器本体１を買物かごとして利用することができるばかりでなく、買い物の往復時や実際の買い物時に容器本体１を折畳み状態Ｑにすれば、容器本体１が嵩張らず、容器本体１を容易に運搬したり保管したりすることができる。また、左右両折畳み側板８，９において、容器本体１の内外を仕切る機能を有する仕切壁１５は、両支持腕１４の各区画腕部１６，１７を関節部１８で互いに折曲させる際に、両支持腕１４の関節部１８間に設けた柔軟体１５で同時に折曲して左右両折畳み側板８，９を折り畳むことができる機能をも持たせることができる。
【０００８】
請求項２または請求項３の発明を前提とする請求項４の発明において、前記固定部材３には展開状態Ｐで固定部材３と底板２とが上下方向Ｚで並ぶように容器本体１を支え持つことができるホルダー２３を取り付けている。請求項４の発明では、ホルダー２３により容器本体１を展開状態Ｐで容易に運搬したり保管したりすることができる。
【０００９】
請求項２から請求項４のうちいずれかの請求項の発明を前提とする請求項５の発明において、前記固定部材３と底板２との間には折畳み状態Ｑを保持することができる止め部材２５を取り付けている。請求項５の発明では、固定部材３と底板２との間の離間を止め部材２５により阻止して容器本体１を折畳み状態Ｑに保持することができる。
【００１０】
請求項２から請求項５のうちいずれかの請求項の発明を前提とする請求項６の発明において、前記固定部材３または底板２には折畳み状態Ｑで固定部材３と底板２とが上下方向Ｚに対し直交する横方向Ｙで並ぶように容器本体１を支え持つことができるホルダー２６，２８，３０を取り付けている。請求項６の発明では、ホルダー２６，２８，３０により容器本体１を折畳み状態Ｑで容易に運搬したり保管したりすることができる。
【発明の効果】
【００１１】
本発明は、携帯用折畳み容器を例えば買物容器として利用する場合、運搬時や保管時に嵩張ることがなく利便性を良くすることができる。
【発明を実施するための最良の形態】
【００１２】
以下、本発明の一実施形態に係る携帯用折畳み容器について図面を参照して説明する。
図１（ａ）（ｂ）、図２（ａ）（ｂ）及び図３（ａ）（ｂ）に示すように、展開状態Ｐの携帯用折畳み容器は、例えば買い物容器として利用され、その容器本体１においては底板２と上枠３（固定部材）との間でそれらの外周に周壁４が設けられている。この底板２は、高分子材料（ある程度の剛性を保つことができる各種樹脂）により成形され、外周に前縁部２ａと後縁部２ｂと左縁部２ｃと右縁部２ｄとを有している。この上枠３は、高分子材料（ある程度の剛性を保つことができる各種樹脂）により成形され、前枠部３ａと後枠部３ｂと左枠部３ｃと右枠部３ｄとから環状をなしている。この上枠３において、前枠部３ａと後枠部３ｂと左枠部３ｃと右枠部３ｄとの間には底板２に対し上下方向Ｚで相対向する出入口５が設けられている。
【００１３】
前記周壁４は、底板２の前縁部２ａと上枠３の前枠部３ａとの間に配設された前側支持側板６と、底板２の後縁部２ｂと上枠３の後枠部３ｂとの間に配設された後側支持側板７と、底板２の左縁部２ｃと上枠３の左枠部３ｃとの間に配設された左側折畳み側板８と、底板２の右縁部２ｄと上枠３の右枠部３ｄとの間に配設された右側折畳み側板９とからなる。この前側支持側板６と後側支持側板７とが前後方向Ｘ（上下方向Ｚに対し直交する横方向）で相対向するとともに、この左側折畳み側板８と右側折畳み側板９とが左右方向Ｙ（上下方向Ｚに対し直交する横方向）で相対向し、その各支持側板６，７と各折畳み側板８，９とが周方向へ交互に並設されている。
【００１４】
前記前後両支持側板６，７においては、それぞれ、高分子材料（ある程度の剛性を保つことができる各種樹脂）により成形された枠体１０が左枠部１０ｃと右枠部１０ｄと上枠部１０ｅと下枠部１０ｆとを有し、その左枠部１０ｃと右枠部１０ｄと上枠部１０ｅと下枠部１０ｆとの間で枠体１０の内側には布や網などの柔軟体からなる仕切壁１１が取着されている。この前側支持側板６の上枠部１０ｅは上枠３の前枠部３ａに対し左右方向Ｙへ延びる支軸１２により回動可能に支持されているとともに、この前側支持側板６の下枠部１０ｆは底板２の前縁部２ａ上に載置されて支持されている。この後側支持側板７の上枠部１０ｅは上枠３の後枠部３ｂに対し左右方向Ｙへ延びる支軸１２により回動可能に支持されているとともに、この後側支持側板７の下枠部１０ｆは底板２の後縁部２ｂ上に載置されて支持されている。この前後両支持側板６，７の内側には布や網などの柔軟体からなる蓋１３がその基端部１３ａで枠体１０の上枠部１０ｅに取着されている。
【００１５】
前記左右両折畳み側板８，９においては、それぞれ、前後方向Ｘの両側に支持腕１４が設けられ、その前後両支持腕１４間の内側には布や網などの柔軟体からなる仕切壁１５が取着されている。この前後両支持腕１４においては、互いに分離して設けられた最上区画腕部としての上側区画腕部１６と最下区画腕部としての下側区画腕部１７とが高分子材料（ある程度の剛性を保つことができる各種樹脂）により成形され、軟質のゴムや樹脂により薄板状に成形された関節部１８がこの上側区画腕部１６の下縁部１６ｆと下側区画腕部１７の上縁部１７ｅとの間に連結されている。この左右両折畳み側板８，９の上側区画腕部１６の上縁部１６ｅは、上枠３の左右両枠部３ｃ，３ｄに対し前後方向Ｘへ延びる支軸１９により回動可能に支持されている。この左右両折畳み側板８，９の下側区画腕部１７の下縁部１７ｆは、底板２の左右両縁部２ｃ，２ｄに対し前後方向Ｘへ延びる支軸２０により回動可能に支持されている。
【００１６】
図３（ａ）（ｂ）に示すように、左右両折畳み側板８，９の前後両支持腕１４の上側区画腕部１６には位置決め凸部２１が設けられ、前後両支持側板６，７の左右両枠部１０ｃ，１０ｄにはこの位置決め凸部２１が嵌合される位置決め凹部２２が設けられている。
【００１７】
さて、図１（ａ）に示す容器本体１の展開状態Ｐでは、前後両支持側板６，７の内側で蓋１３が上下方向Ｚへ吊下されて上枠３の出入口５が開放され、上枠３の左枠部３ｃ及び右枠部３ｄに取り付けられたホルダーとしての取っ手２３がその左枠部３ｃ及び右枠部３ｄに寝かされた不使用状態から引き上げられて使用状態になっている。買い物後に商品を出入口５から容器本体１に入れ、両蓋１３を前後両支持側板６，７の内側から上方へ離して両蓋１３の先端部１３ｂで面ファスナー等により互いに連結すると、図１（ｂ）に示すように出入口５を両蓋１３により閉じることができる。そして、この両取っ手２３を把持して容器本体１を支え持つことができる。
【００１８】
図４に示すように、前記容器本体１の展開状態Ｐにおいて、前後両支持側板６，７を上枠３の前後両枠部３ａ，３ｂに対し支軸１２を中心に回動させて前後両蓋１３の下側で上枠３の内側に折り畳むと、前後両支持側板６，７が上枠３の出入口５内に嵌め込まれてその出入口５を閉塞し、この前後両支持側板６，７の下枠部１０ｆが前後方向Ｘで相対向するとともに、この前後両支持側板６，７の左右両枠部１０ｃ，１０ｄが上枠３の左右両枠部３ｃ，３ｄに当てがわれる。
【００１９】
さらに、図５に示すように、左右両折畳み側板８，９において、前後両支持腕１４の関節部１８を仕切壁１５とともに上枠３の内側に折り曲げ、前後両支持腕１４の上側区画腕部１６を上枠３の左右両枠部３ｃ，３ｄに対し支軸１９を中心に回動させて上枠３の内側に折り畳むとともに、前後両支持腕１４の下側区画腕部１７を底板２の左右両縁部２ｃ，２ｄに対し支軸２０を中心に回動させて底板２の内側に折り畳むと、図６及び図７（ａ）（ｂ）に示すように、容器本体１が折畳み状態Ｑとなる。この折畳み状態Ｑでは、底板２上で左右両折畳み側板８，９の前後両支持腕１４の上下両区画腕部１６，１７が仕切壁１５とともに互いに折り畳まれて上下方向Ｚへ重ねられ、この前後両支持腕１４の上側区画腕部１６及び仕切壁１５の上方で上枠３及び前後両支持側板６，７が上下方向Ｚへ重ねられ、この底板２の各縁部２ａ，２ｂ，２ｃ，２ｄ上に上枠３の各枠部３ａ，３ｂ，３ｃ，３ｄが重なってこの底板２と上枠３とで囲まれる室２４に左右両折畳み側板８，９及び前後両支持側板６，７が収容される。この折畳み状態Ｑで底板２の左右両縁部２ｃ，２ｄと上枠３の左右両枠部３ｃ，３ｄとを面ファスナー等の止め部材２５により互いに連結することができる。なお、上枠３の左枠部３ｃ及び右枠部３ｄに取り付けられた取っ手２３を使用状態から寝かせて不使用状態にする。
【００２０】
図８（ａ）の別例に示す容器本体１の折畳み状態Ｑでは、底板２の後縁部２ｂに取り付けられたフック２６を寝かせた不使用状態から立たせた使用状態にすると、そのフック２６を買い物中にレジ用カート２７に引掛けて保持することができる。
【００２１】
図８（ｂ）（ｃ）の別例に示す容器本体１の折畳み状態Ｑでは、上枠３の後枠部３ｂに取り付けられたホルダーとしての取っ手２８を寝かせた不使用状態から引き上げた使用状態にすると、その取っ手２８を把持して容器本体１を支え持つことができる。また、上枠３の後枠部３ｂの左右両端部に取り付けられた掛止め部２９にホルダーとしての肩掛けバンド３０を引掛けて使用状態にすると、その肩掛けバンド３０を肩に掛けて容器本体１を支え持つことができる。
【００２２】
一方、このような折り畳み動作とは逆の展開動作を行えば、容器本体１を折畳み状態Ｑから展開状態Ｐにすることができる。
本実施形態は下記の効果を有する。
【００２３】
＊  スーパーなどでレジ用かごやレジ用カートに商品を入れてレジで精算した後、展開状態Ｐの容器本体１にレジ用かごやレジ用カートから商品を移し、その容器本体１を取っ手２３により支え持って容易に運搬したり保管したりすることができる。
【００２４】
＊  買い物の往復時や実際の買い物時に容器本体１を止め部材２５により保持された折畳み状態Ｑにすれば、容器本体１が嵩張らず、フック２６や取っ手２８や肩掛けバンド３０を利用して容器本体１を容易に運搬したり保管したりすることができる。
【００２５】
＊  左右両折畳み側板８，９において仕切壁１５の全体が布や網などの柔軟体であるため、仕切壁１５は、周壁４として容器本体１の内外を仕切る機能ばかりでなく、両支持腕１４の上下両区画腕部１６，１７を関節部１８で互いに折曲させる際に同時に折曲して左右両折畳み側板８，９を折り畳むことができる機能も有する。
【００２６】
前記実施形態以外にも下記のように構成してもよい。
・  前記実施形態において、上枠３を省略し、前後両支持側板６，７の下枠部１０ｆを底板２に対し回動可能に支持するとともに、その前後両支持側板６，７に対し左右両折畳み側板８，９の上下両区画腕部１６，１７を固定部材により連結する。
【００２７】
・  前記実施形態において、上枠３を省略するとともに、前後両支持側板６，７に代えて左右両折畳み側板８，９と同様な前後両折畳み側板８，９を設け、これらの折畳み側板８，９を周方向へ並設して互いに隣接する両折畳み側板８，９間を固定部材により連結する。
【００２８】
・  前記実施形態の左右両折畳み側板８，９においては、仕切壁１５の全体が布や網などの柔軟体であるが、仕切壁１５には両支持腕１４の関節部１８間にのみ布や網などの柔軟体を設ける。
【００２９】
・  前記実施形態の左右両折畳み側板８，９において両支持腕１４の関節部１８については、両支持腕１４の上下両区画腕部１６，１７を互いに折曲し得る機構であれば、軟質のゴムや樹脂により薄板状に成形されたものばかりでなく、既存の蝶番などであってもよい。
【００３０】
・  前記実施形態の左右両折畳み側板８，９において、最上区画腕部１６と最下区画腕部１７との間に一以上の区画腕部を関節部１８を介して上下方向Ｚへ並設する。
・  前記実施形態の前後両支持側板６，７において、枠体１０の内側で布や網などの柔軟体からなる仕切壁１１を省略し、枠体１０の内側を埋めて一枚の板にする。
【図面の簡単な説明】
【００３１】
【図１】（ａ）は本実施形態にかかる携帯用折畳み容器の展開状態において出入口を開放した状態を示す斜視図であり、（ｂ）は同じく出入口を蓋で閉じた状態を示す斜視図である。
【図２】（ａ）は図１（ａ）を側面側から見た縦断面図であり、（ｂ）は図１（ｂ）を正面側から見た縦断面図である。
【図３】（ａ）は図１（ａ）を平面側から見た横断面図であり、（ｂ）は（ａ）の部分拡大図である。
【図４】上記の携帯用折畳み容器において折畳み途中状態を示す斜視図である。
【図５】上記の携帯用折畳み容器において折畳み途中状態を示す斜視図である。
【図６】上記の携帯用折畳み容器において折畳み状態を示す斜視図である。
【図７】（ａ）は図６を側面側から見た縦断面図であり、（ｂ）は図６を正面側から見た縦断面図である。
【図８】（ａ）は別例にかかる携帯用折畳み容器において折畳み状態にある容器本体でフックの使用状態を示す側面図であり、（ｂ）は同じくホルダーとしての取っ手の使用状態を示す正面図であり、（ｃ）はホルダーとしての肩掛けバンドの使用状態を示す正面図である。
【符号の説明】
【００３２】
１…容器本体、２…底板、３…固定部材としての上枠、４…周壁、６，７…支持側板、８，９…折畳み側板、１４…支持腕、１５…柔軟体としての仕切壁、１６，１７…区画腕部、１８…関節部、２３…ホルダーとしての取っ手、２５…止め部材、２６…ホルダーとしてのフック、２８…ホルダーとしての取っ手、３０…ホルダーとしての肩掛けバンド、Ｐ…展開状態、Ｑ…折畳み状態。
【図１】
2008183095.tif 000003
【図２】
2008183095.tif 000004
【図３】
2008183095.tif 000005
【図４】
2008183095.tif 000006
【図５】
2008183095.tif 000007
【図６】
2008183095.tif 000008
【図７】
2008183095.tif 000009
【図８】
2008183095.tif 000010